(57)【要約】【課題】ロータとステータとの間にごみが入ったり、雨水の浸入によりさび等が発生して回転しにくくなっても、回動操作部の根元部分で折れるのを防止でき、耐久性に優れた片差しキーを提供できるようにする。【解決手段】鍵穴を備えたロータと、該ロータを回動可能に収納したステータとを有し、ロータとステータとに亙る一箇所にピンを収納したシリンダを形成するとともに、鍵穴から差し込まれた鍵のピン操作部でピンを操作することによりロータを鍵とともに開錠方向に回転可能にしてなる片差しキーであって、鍵穴の鍵挿入口部分に少なくともピン操作部側の鍵基端部を挿入可能な溝を形成した。【選択図】    図１
2004169293.tif 000002
【特許請求の範囲】
【請求項１】
鍵穴を備えたロータと、該ロータを回動可能に収納したステータとを有し、ロータとステータとに亙る一箇所にピンを収納したシリンダを形成するとともに、鍵穴から差し込まれた鍵のピン操作部でピンを操作することによりロータを鍵とともに開錠方向に回転可能にしてなる片差しキーであって、鍵穴の鍵挿入口部分に少なくともピン操作部側の鍵基端部を挿入可能な溝を形成したことを特徴とする片差しキー。
【請求項２】
溝がロータの鍵挿入口部分を切削して形成したことを特徴とする請求項１に記載の片差しキー。
【発明の詳細な説明】
【０００１】
【発明の属する技術分野】
本発明は鍵穴に差し込まれてピンを操作するピン操作部分が片側に設けられた鍵で開閉操作される片差しキーに関するものである。
【０００２】
【従来の技術】
一般にこの種の片差しキーは図２及び図３に示すように、鍵８が差し込まれるロータ３と、このロータ３を回動可能に保持するステータ４とを有し、ロータ３とステータ４との間に亙って刻設されたシリンダ６に、バネ７で押圧付勢されたピン５を装着し、ピン５を操作するピン操作部９分が片側に設けられた鍵８を鍵穴２から挿入し、鍵８のピン操作部９でバネ７の付勢力に抗してピン５を所定の位置に押し上げることにより、ロータ３を回動可能にするようになっている。
【０００３】
【発明が解決しようとする課題】
上記一般の片差しキーではバネで押圧付勢されたピンを装着したシリンダのスペースが必要であることから、鍵穴がロータの中心より図上下方に偏寄して設けられる。そしてこの鍵穴に挿入される鍵の部分は、ピン操作部をピンに対面させるために、太い回動操作部が鍵穴の中心から更に下方に偏寄するので、回動操作部の中心Ｇとロータの中心Ｇ１とは図３上にＬで示すように大きくずれている。
【０００４】
従って、こうした片差しキーの鍵穴に差し込んだ鍵を回して開錠操作するとき、鍵の回動操作部の中心とロータの中心とは大きくずれていることから、回動操作部には捩れ方向に作用する力がかかり、ロータとステータとの間にごみが入ったり、雨水の浸入によりさび等が発生して回転しにくくなったりすると、回動操作部の根元部分で折れてしまうという問題があった。
【０００５】
そこで、本発明発明は上記問題点に鑑み提案されたもので、ロータとステータとの間にごみが入ったり、雨水の浸入によりさび等が発生して回転しにくくなっても、回動操作部の根元部分で折れるのを防止でき、耐久性に優れた片差しキーを提供できるようにすることを目的とするものである。
【０００６】
【課題を解決するための手段】
上記目的を達成するために本発明にかかる片差しキーは、鍵穴を備えたロータと、該ロータを回動可能に収納したステータとを有し、ロータとステータとに亙る一箇所にピンを収納したシリンダを形成するとともに、鍵穴から差し込まれた鍵のピン操作部でピンを操作することによりロータを鍵とともに開錠方向に回転可能にしてなる片差しキーであって、鍵穴の鍵挿入口部分に少なくともピン操作部側の鍵基端部を挿入可能な溝を形成したことを特徴とするものである。
【０００７】
また、本発明にかかる片差しキーは、上記のピン操作部側の鍵基端部を挿入可能な溝がロータの鍵挿入口部分を切削して形成したことも特徴とするものである。
【０００８】
【発明の実施の形態】
以下、本発明の片差しキーにかかる好ましい実施の形態を図面に基づいて説明する。
図１は片差しキーの一例であるワイヤ錠のキー部分を示す斜視図であって、図中符号１はキーを全体的に示す。
このキー１は、鍵穴２を備えたロータ３と、ロータ３を回動可能に収納して保持するケーシング（ステータ）４とを有し、ロータ３とケーシング４とに亙る一箇所には図２に示すように、ピン５を収納するシリンダ６が形成されている。
上記シリンダ６には２つに分割されたピン５をケーシング４側のシリンダ６部分に装着されたバネ７でロータ３側に押圧付勢させてあり、ロータ３側のピン５の端部は後述する鍵８のピン操作部９で上下操作される当接片１０として鍵穴２に突出させてある。
【０００９】
この鍵穴２に突出した当接片１０を操作する鍵８は、図３及び図４に示すように鍵穴２に挿入される比較的厚肉の回動操作部１１と当接片１０に当接してピンを所定の位置に押し上げる凹凸が形成された薄肉のピン操作部９とを一体に形成するとともに、鍵穴２外の鍵基端部１３には樹脂等で形成された操作用摘み１４が形成されている。
そして図１に示すように鍵穴２の鍵挿入口部分には、上記鍵８の回動操作部１１の中心Ｇを中心とする緩やかな球面状のガイド用窪み１６が形成されるとともに、一条の溝１７が形成されている。
この溝１７は厚肉の鍵基端部１３を嵌合させるもので、上記球面状のガイド用窪み１６を横切り、鍵穴２からシリンダの長手方向にロータ３を縦断する状態に切削加工することにより形成してある。
【００１０】
上記のように形成された本発明の片差しキー１の操作手順を開錠する場合を例に次に説明する。
先ず、施錠されたキー１を開錠する場合、鍵８をロータ３の鍵穴２に深く差し込む。
すると、差し込まれた鍵８のピン操作９部に形成された凹凸に合わせて当接片１０を介してピンがバネの押圧付勢力に抗して所定の高さに押し上げられる。
これと同時に鍵穴２の鍵挿入口部分に形成された溝１７に鍵８の厚肉に形成されている鍵基端部１３が嵌合する（図５参照）。
【００１１】
次に、鍵８をロータ３の鍵穴２に深く差し込んだ状態で操作用摘み１４を回すと、その回動操作力は鍵基端部１３からこれが嵌合している溝１７に伝えられてロータ３を回転させる。
このとき、そしてこの鍵穴２に挿入される鍵８の部分は、鍵８の回動操作部１１の中心とロータ３の中心とは大きくずれているが、厚肉の鍵基端部１３から溝１７に強力に伝えられるので、ロータ３とステータ４との間にごみが入ったり、雨水の浸入によりさび等が発生して回転しにくくなっている場合でもロータ３を簡単に回転させれ開錠させることができるのである。
【００１２】
尚、上記実施の形態では鍵基端部１３からこれが嵌合している溝１７を鍵穴２の鍵挿入口部分に切削により形成するようにしてあるが、これに代えて図６に示すように、裏面に剥離紙２０で保護された接着面２１を有する硬質プラスチックや金属板に予め溝を形成した補助具２２を形成し、この補助具２２をロータ３に貼着するようにしてもよいことは勿論である。
こうした場合には、既存の片差しキー１にも本発明を簡単に実施することができる。
【００１３】
【発明の効果】
本発明の片差しキーは以上に説明したように、鍵穴を備えたロータと、該ロータを回動可能に収納したステータとを有し、ロータとステータとに亙る一箇所にピンを収納したシリンダを形成するとともに、鍵穴から差し込まれた鍵のピン操作部でピンを操作することによりロータを鍵とともに開錠方向に回転可能にしてなる片差しキーの鍵穴の鍵挿入口部分に少なくともピン操作部側の鍵基端部を挿入可能な溝を形成するようにしてあるので、回動操作部が鍵穴の中心から更に下方に偏寄するので、回動操作部の中心とロータの中心とは大きくずれていても、片差しキーの鍵穴に差し込んだ鍵の鍵基端部が溝に嵌合し、この部分から回転力をロータに伝える。
【００１４】
したがって、鍵からロータに大きな回転力を伝えられるとともに、ロータとステータとの間にごみが入ったり、雨水の浸入によりさび等が発生して回転しにくくなったりした場合でも、鍵が回動操作部の根元部分で折れてしまうのを防止でき、その耐久性を高めることができるという利点がある。
【００１５】
また、ピン操作部側の鍵基端部を挿入する溝がロータの鍵挿入口部分を切削して形成するようにしたものでは、別部材を設けることなく簡単な構造で安価に実施することができると言う利点もある。
【図面の簡単な説明】
【図１】は本発明にかかる片差しキーの一例であるワイヤ錠のキー部分を示す斜視図である。
【図２】は片差しキーの構造を示す概略図である。
【図３】は鍵を差し込んだ時の片差しキーの構造を示す概略図である。
【図４】は本発明の片差しキーにおける、鍵をロータに差し込んだ時の概略図である。
【図５】は本発明の片差しキーにおける鍵をロータに差し込んだ状態の斜視図である。
【図６】は別の実施定の斜視図である。
【図７】は従来の片差しキーにかかり、鍵をロータに差し込んだ時の概略図である。
【符号の説明】
１・・・片差しキー
２・・・鍵穴
３・・・ロータ
４・・・ステータ（ケーシング）
５・・・ピン
６・・・シリンダ
８・・・鍵
９・・・ピン操作部
１７・・・溝
【図１】
2004169293.tif 000003
【図２】
2004169293.tif 000004
【図３】
2004169293.tif 000005
【図４】
2004169293.tif 000006
【図５】
2004169293.tif 000007
【図６】
2004169293.tif 000008
【図７】
2004169293.tif 000009